(57)【特許請求の範囲】
【請求項１】
ほぼ平行に並ぶ複数本の櫛歯を備えてバリカンのヘッド部に着脱自在に取り付けられる刈り上げ用アタッチメントであって、
上記バリカンのヘッド部は固定刃と該固定刃に摺接する可動刃とからなる刃部をヘッド部の厚み方向のほぼ中心に配したものであり、
上記の各櫛歯は上記の刃部の長手方向に間隔をおいて並ぶとともに上記刃部を固定刃側からと可動刃側からの両方から覆うアーチ状であり、固定刃と可動刃との摺接面を中心とする線対称形状となっているアーチ状の各櫛歯における頭皮との接触部となる外縁が、上記線対称の中心線に対して傾斜し、
各櫛歯における刃部の突出方向の高さが上記長手方向の一端側に位置する櫛歯から他端側に位置する櫛歯にかけて順に高くなっているとともに各櫛歯における上記刃部から上記傾斜している外縁までの距離が上記一端側に位置する櫛歯から他端側に位置する櫛歯にかけて順に大きくなっており、
各櫛歯は二等辺三角形状であるとともに相似形であり、上記一端側に位置する櫛歯から他端側に位置する櫛歯にかけて順に大きさが大となっていることを特徴とする刈り上げ用アタッチメント。
【発明の詳細な説明】
【０００１】
【発明の属する技術分野】
本発明はバリカンのヘッド部に着脱自在に装着されて頭髪を刈り上げるカットを楽に且つ確実に行えるようにするための刈り上げ用アタッチメントに関するものである。
【０００２】
【従来の技術】
バリカンによって頭髪の耳回りや裾部をきれいに刈り上げることは熟練を要するために、この刈り上げ操作を補助するための図６に示すアタッチメント１が提供されている。このアタッチメント１は、複数本の櫛歯２を平行に並べるとともに各櫛歯２を一端側の櫛歯から他端側の櫛歯にかけて順に高さが大きくなるようにしたもので、図７に示すように固定刃と可動刃とからなる刃部４を備えたバリカン３に装着すれば、刃部４における固定刃側に櫛歯２が位置するものとなっている。なお、該アタッチメント１はその向きを逆向きにしてバリカン３に装着することもできるようになっており、装着の向きによって、高さが低い櫛歯２を刃部４の一端側に位置させるか他端側に位置させるかを変更することができる。
【０００３】
この状態で例えば耳回りの刈り上げを行うには、櫛歯２の外縁２０を頭皮に接触させて、刃部２と頭皮との間隔を櫛歯２によって規定しながら頭髪の切断を行うものであり、一端側から他端側にかけて漸次櫛歯２の高さが高くなっているために、上記間隔もこれにならうことから頭髪をきれいに刈り上げることができる。
【０００４】
【発明が解決しようとする課題】
しかし、上記アタッチメント１では、一方向にしか刈り進むことができず、逆方向から刈る場合、図示従来例のものではバリカン３へのアタッチメント１の取り付けの向きを逆向きとしなくてはならず、手間がかかるものとなっている。本発明はこのような点に鑑み為されたものであり、その目的とするところはバリカンへの取り付けの向きを変更したりしなくても両方向から刈ることができる刈り上げ用アタッチメントを提供するにある。
【０００５】
【課題を解決するための手段】
しかして本発明は、ほぼ平行に並ぶ複数本の櫛歯を備えてバリカンのヘッド部に着脱自在に取り付けられる刈り上げ用アタッチメントであって、上記バリカンのヘッド部は固定刃と該固定刃に摺接する可動刃とからなる刃部をヘッド部の厚み方向のほぼ中心に配したものであり、上記の各櫛歯は上記の刃部の長手方向に間隔をおいて並ぶとともに上記刃部を固定刃側からと可動刃側からの両方から覆うアーチ状であり、固定刃と可動刃との摺接面を中心とする線対称形状となっているアーチ状の各櫛歯における頭皮との接触部となる外縁が、上記線対称の中心線に対して傾斜し、各櫛歯における刃部の突出方向の高さが上記長手方向の一端側に位置する櫛歯から他端側に位置する櫛歯にかけて順に高くなっているとともに各櫛歯における上記刃部から上記傾斜している外縁までの距離が上記一端側に位置する櫛歯から他端側に位置する櫛歯にかけて順に大きくなっており、各櫛歯は二等辺三角形状であるとともに相似形であり、上記一端側に位置する櫛歯から他端側に位置する櫛歯にかけて順に大きさが大となっていることに特徴を有している。バリカンの刃部の固定刃側と可動刃側の両方に各櫛歯の頭皮との接触部となる外縁が位置するために、アタッチメントを付け直さなくても、バリカンの向きを変えるだけで両方向から刈ることができるものである。
【０００６】
【発明の実施の形態】
本発明の実施の形態の一例について説明すると、図１〜図３において、固定刃と可動刃とからなる刃部４を本体上端のヘッド部の厚み方向のほぼ中心に配しているバリカン３に着脱自在に装着されるアタッチメント１は、上記刃部４の長手方向の片側半分を覆うことになる複数本の平行な櫛歯２を備えたもので、バリカン３の刃部４の長手方向に間隔をおいて並んでいる各櫛歯２は、刃部４を固定刃側からと可動刃側からの両方から覆うアーチ状となっているとともに、刃部４における固定刃と可動刃との摺接面を中心とする線対称形状となっており、アーチ状の各櫛歯２の上部における頭皮との接触部となる外縁２０，２０が、上記線対称の中心線Ｓに対して傾斜している。また、各櫛歯２における刃部４の突出方向の高さＨが一端側に位置する櫛歯から他端側に位置する櫛歯にかけて順に高くなっているとともに、各櫛歯２の上記刃部４から上記傾斜した外縁２０，２０までの距離Ｄが上記一端側に位置する櫛歯２から他端側に位置する櫛歯２にかけて順に大きくなっており、各櫛歯２は二等辺三角形状であるとともに大きさだけが異なる相似形で、上記一端側に位置する櫛歯２から他端側に位置する櫛歯２にかけて順に大きさが大となっている。
【０００７】
このものにおいては、刈り上げに際して複数本の櫛歯２における頭皮に同時に接触させることになる外縁２０が、刃部４における固定刃側と可動刃側の両方にあるために、たとえば耳回りの刈り上げを行う時、図４に示すように刈り進む場合と、図５に示すように逆方向に刈り進む場合とで、アタッチメント１を取り付け直したりしなくとも、バリカン３の向きを変えて、刃部４の固定刃側を頭皮側とするか可動刃側を頭皮側とするだけでよいものであり、また向きによって刈り上げの仕上げに差が生じることもないものである。
【０００８】
また、いずれの方向に刈り進む場合も、各櫛歯２が毛髪を起毛して刃部４に導くとともに起毛された毛髪は刃部４にほぼ直角に当たるので、毛髪は確実に刃部４に導入されて切断される。なお、図示例では、櫛歯２の数を刃部４の片側半分を覆うことができる本数としているが、刃部４をすべて覆うことができる本数としていてもよい。
【０００９】
【発明の効果】
以上のように本発明においては、バリカンの刃部の固定刃側と可動刃側の両方に各櫛歯の上部における頭皮との接触部となる外縁が位置するために、アタッチメントを付け直さなくても、バリカンの向きを変えるだけで両方向から刈ることができるものであり、刈り上げを行うに際しての手間を削減することができるものである。
【００１０】
特に、各櫛歯が二等辺三角形状であるとともに相似形であり、一端から他端側にかけて漸次大きさが大となっているものとした時には、デザイン的にまとまりのあるものとすることができるとともに、刈る方向によって使い勝手が変わってしまうこともなく、同じ仕上がりを得ることができる。
【図面の簡単な説明】
【図１】  本発明の実施の形態の一例を示すもので、(a)は側面図、(b)は正面図である。
【図２】  同上の部分縦断面図である。
【図３】  (a)はバリカンの側面図、(b)はバリカンとアタッチメントの正面図である。
【図４】  同上の使用状態の説明図である。
【図５】  同上の使用状態の説明図である。
【図６】  従来例を示すもので、(a)は平面図、(b)は側面図、(c)は正面図である。
【図７】  (a)はバリカンの側面図、(b)はアタッチメント装着時の側面図である。
【符号の説明】
１  アタッチメント
２  櫛歯
３  バリカン
４  刃部
２０  外縁
【図１】
0004146538.tif 000002
【図２】
0004146538.tif 000003
【図３】
0004146538.tif 000004
【図４】
0004146538.tif 000005
【図５】
0004146538.tif 000006
【図６】
0004146538.tif 000007
【図７】
0004146538.tif 000008